(57)【要約】【課題】本発明は、偽造が極めて困難な情報記録媒体を提供することを課題とする。【解決手段】本発明において、上記課題を解決するために、積層体に形成された複数の微細な穴部により情報を記録した情報記録媒体であって、  該積層体は、発光材料を含む中間層を有し、  該微細な穴部は、該積層体表面から斜めに形成されてなり、少なくとも該中間層まで達していることを特徴とする情報記録媒体としたものである。前記微細な穴部は、前記積層体を貫通しても良い。【選択図】図２
2010167612.tif 000002
【特許請求の範囲】
【請求項１】
積層体に形成された複数の微細な穴部により情報を記録した情報記録媒体であって、
該積層体は、発光材料を含む中間層を有し、
該微細な穴部は、該積層体表面から斜めに形成されてなり、少なくとも該中間層まで達していることを特徴とする情報記録媒体。
【請求項２】
前記微細な穴部は、前記積層体を貫通していることを特徴とする請求項１記載の情報記録媒体。
【請求項３】
積層体に形成された複数の微細な穴部により情報を記録した情報記録媒体の製造方法であって、
発光材料を含む中間層を有する積層体の表面に対して斜めにレーザーを照射して該微細な穴部を形成することを特徴とする情報記録媒体の製造方法。
【発明の詳細な説明】
【技術分野】
【０００１】
本発明は、情報記録媒体と、その製造方法とに関する。
【背景技術】
【０００２】
従来からレーザービームによりカード基材に、一つ又は二つ以上の特定の傾斜角度で多数の微細な穿孔を、特定のパターンで配列して情報を付与するように、貫通して形成することが知られている（例えば特許文献１及び２参照）。
【０００３】
しかしながら、レーザー装置は高価だが一般に販売されているため、カード基材を入手すれば、容易に偽造できる。
【０００４】
また従来から、穿孔が埋められるように、発光材料を付与することも知られている（例えば特許文献１及び２参照）。
【０００５】
しかしながら、この発光材料は、発光材料を含むインキで印刷されるか又は発光材料を含むフィルムでコートされることにより付与されるため、カード基材の一面に発光材料を含んだ層が存在するので、どのような発光材料を用いているのかが容易に知られ、偽造される恐れがある。
【先行技術文献】
【特許文献】
【０００６】
【特許文献１】特開２０００−９４８７２号公報
【特許文献２】特開２００２−１６０４７７号公報
【発明の概要】
【発明が解決しようとする課題】
【０００７】
本発明は斯かる背景技術に鑑みてなされたもので、偽造が極めて困難な情報記録媒体を提供することを課題とする。
【課題を解決するための手段】
【０００８】
本発明において上記課題を解決するために、まず請求項１の発明では、積層体に形成された複数の微細な穴部により情報を記録した情報記録媒体であって、
該積層体は、発光材料を含む中間層を有し、
該微細な穴部は、該積層体表面から斜めに形成されてなり、少なくとも該中間層まで達していることを特徴とする情報記録媒体としたものである。
【０００９】
また請求項２の発明では、前記微細な穴部は、前記積層体を貫通していることを特徴とする請求項１記載の情報記録媒体としたものである。
【００１０】
また請求項３の発明では、積層体に形成された複数の微細な穴部により情報を記録した情報記録媒体の製造方法であって、
発光材料を含む中間層を有する積層体の表面に対して斜めにレーザーを照射して該微細な穴部を形成することを特徴とする情報記録媒体の製造方法としたものである。
【発明の効果】
【００１１】
請求項１の発明は、発光材料を含む中間層を有すること自体が極めて分かり難いので、偽造することが極めて困難であるという効果がある。また請求項１の発明は、微細な穴部が斜めに形成されているので、微細な穴部により記録された情報は、ただ、真上から見ただけでは分からず、斜めからライトを当てて透かして見たり、斜めにして透かして見ると、その情報が目で確認できるという効果がある。また請求項１の発明は、正面に、ランプで、発光材料を励起して発光させる照射光を当てると、この照明光が微細な穴部を通過して中間層に達することにより、中間層に含まれる発光材料が発光し、この発光が微細な穴部を通過して正面から見えるために、微細な穴部により記録された情報を目で確認できるという効果がある。
【００１２】
また請求項２の発明は、微細な穴部が貫通しているので、斜めにして透かして見ると、貫通していない場合よりも、微細な穴部により記録された情報を確認しやすいという効果がある。
【００１３】
また請求項３の発明は、請求項２の発明を容易に製造できるという効果がある。
【図面の簡単な説明】
【００１４】
【図１】積層体の層構造例を示す図。
【図２】積層体表面から斜めに貫通させた微細な穴部の例を示す図。
【図３】記録した情報を確認する方法の例を示す図。
【発明を実施するための最良の形態】
【００１５】
以下に、本発明の最良の一実施形態を説明する。
【００１６】
本発明の情報記録媒体は、積層体に形成された複数の微細な穴部により顔写真などの画像の情報を記録したものである。積層体の厚みは、０．２ｍｍ以上が好ましい。
【００１７】
積層体は、少なくとも発光材料を含む中間層を有する。例えば、図１に示すように、上層１と中間層２と下層３とからなる３層構造であっても良い。
【００１８】
また発光材料を含む中間層は、可視光では見えず赤外光又は紫外光を照射することにより励起して発光する顔料もしくは染料のインク（不可視インク）により形成されたものであると、一般に、積層体に中間層があることが分からないし、たとえ分かっても、この積層体は、通常、流通するものではないので入手できず、偽造防止の点で好ましい。
【００１９】
微細な穴部は、積層体表面から斜めに形成されてなり、少なくとも該中間層まで達しており、積層体を貫通しても良い。図２に、積層体表面から、矢印４に示す斜め方向に貫通させた微細な穴部の例を示す。
【００２０】
微細な穴部の直径は、１０μｍ〜１０００μｍが好ましい。また、微細な穴部の積層体表面に対する角度は、１５°〜８０°が好ましい。
【００２１】
微細な穴部は、貫通する場合には、積層体の表面に対して斜めに、例えばＣＯ２などのレーザーを照射することにより形成することができ、貫通しない場合には、例えば、ＹＡＧレーザやＹＶＯ４レーザ或いは針のようなものを使用することで形成することができる。貫通する方が、穴の深さの制御が要らないので容易に形成できる。
【００２２】
微細な穴部により記録された顔写真などの画像の情報は、ただ、本発明の情報記録媒体を真上から見ただけでは分からず、斜めからライトを当てて透かして見たり、斜めにして透かして見ると、その情報が目で確認できる。貫通しない場合でも斜めから透かした場合、その情報を確認できるが、貫通している方がより確認しやすい。
【００２３】
また図３に示すように、本発明の情報記録媒体の正面に、ランプで、発光材料を励起して発光させる照射光５を当てると、この照明光５が微細な穴部を通過して中間層２に達することにより、中間層２に含まれる発光材料が発光し、この発光６が微細な穴部を通過して正面から見えるために、微細な穴部により記録された顔写真などの画像の情報を目で確認できる。
【産業上の利用可能性】
【００２４】
本発明の情報記録媒体は、例えば、パスポートなどのページ、ＩＤカードなどに利用できる。
【符号の説明】
【００２５】
１…上層
２…中間層
３…下層
４…矢印
５…照射光
６…発光
【図１】
2010167612.tif 000003
【図２】
2010167612.tif 000004
【図３】
2010167612.tif 000005